(57)【要約】【課題】樹脂製の框体における框材同士の連結部分の強度を充分なものとすることのできる樹脂サッシを提供する。【解決手段】方形状の枠体１内に障子２、３を納めてなるものであって、障子２、３はそれぞれ合成樹脂からなる室内上框２０と室内下框２１及び左右の室内縦框２２を方形状に框組みした室内樹脂框体６と、それぞれ合成樹脂からなる室外上框３０と室外下框３１及び左右の室外縦框３２を方形状に框組みした室外樹脂框体７と、室外樹脂框体７と室内樹脂框体６との間に配置され両樹脂框体を連結する金属製の連結框体８とからなる。【選択図】図６
2007291718.tif 000002
【特許請求の範囲】
【請求項１】
方形状の枠体内に障子を納めてなる樹脂サッシにおいて、
前記障子はそれぞれ合成樹脂からなる室内上框と室内下框及び左右の室内縦框を方形状に框組みした室内樹脂框体と、それぞれ合成樹脂からなる室外上框と室外下框及び左右の室外縦框を方形状に框組みした室外樹脂框体と、該室外樹脂框体と前記室内樹脂框体との間に配置され両樹脂框体を連結する金属製の連結框体とからなることを特徴とする樹脂サッシ。
【請求項２】
前記連結框体は上連結框と下連結框及び左右の縦連結框をビス止めにより方形状に框組みしてなることを特徴とする請求項１記載の樹脂サッシ。
【請求項３】
前記室内樹脂框体と室外樹脂框体を構成する各框材は内周面側端部に前記パネル体を挟持する押縁部が一体的に形成されてなることを特徴とする請求項１または２記載の樹脂サッシ。
【請求項４】
前記室内樹脂框体と室外樹脂框体は前記パネル体の挿入方向において複数箇所で前記連結框体と嵌合固定されることを特徴とする請求項１〜３のいずれか１項に記載の樹脂サッシ。
【請求項５】
前記室内樹脂框体と室外樹脂框体はそれぞれ４５度の角度で傾斜状に切断されてなる各框材の端部を突き合わせ溶着してなることを特徴とする請求項１〜４のいずれか１項に記載の樹脂サッシ。
【請求項６】
前記室内樹脂框体と室外樹脂框体はいずれもそれらを構成する上下框及び左右の縦框の形状が略同一断面を有してなることを特徴とする請求項１〜５のいずれか１項に記載の樹脂サッシ。
【請求項７】
前記障子は内障子と外障子からなり、該内障子と外障子が前記枠体内に引き違い状に納められ、前記内障子の召合せ框の室内側には金属製の縦補強材が設けられ、該縦補強材は前記内障子の召合せ框を構成する室内縦框の室外面側からビス止めされると共に、室内側面を補強材カバーで覆ってなることを特徴とする請求項１〜６のいずれか１項に記載の樹脂サッシ。
【発明の詳細な説明】
【技術分野】
【０００１】
本発明は、建物躯体の開口部に設けられる合成樹脂製の樹脂サッシに関し、特に框体の補強材として金属材を内部に有した樹脂サッシに関する。
樹脂サッシに関する。
【背景技術】
【０００２】
従来から、建物躯体の開口部に設けられるサッシであって、枠体やそれに納められる障子を合成樹脂で形成してなる樹脂サッシが知られている。樹脂サッシにおいて枠体は、合成樹脂からなる上枠と下枠及び左右の縦枠を方形状に枠組みしてなり、障子は合成樹脂からなる上框と下框及び左右の縦框を方形状に框組みして構成される。障子は枠体に対して引き違い状に納められて引き違いサッシとされる他、開き窓や辷り出し窓として枠体に納めることもできる。
【０００３】
ここで、障子を構成する框体の各框材は、合成樹脂だけでは充分な強度を得られない場合があり、この場合には框材内部に金属製の補強材を設けることが行われている。框材は断面中空状に形成されており、この中空部分の内周面に略適合するように金属材を形成し、それを挿入することによって補強材として機能させる。このような樹脂サッシとしては、例えば特許文献１に挙げるようなものがある。
【特許文献１】特開平１０−１４０９３６号公報
【発明の開示】
【発明が解決しようとする課題】
【０００４】
しかし、従来の樹脂サッシにおいては、中空内部に金属製の補強材を有した框材の端面同士を溶着することによって框体を框組みするようにしていたため、框材の連結部分において充分な強度を確保することができなかった。特に、大型の障子の場合には、引き違いサッシの場合において障子を走行させる場合に大きな負荷がかかり、また風圧による負荷も大きいために、框材の連結部分においても大きな強度を確保することが望まれていた。
【０００５】
本発明は、上記課題を解決すべくなされたものであり、樹脂製の框体における框材同士の連結部分の強度を充分なものとすることのできる樹脂サッシを提供することを目的とする。
【課題を解決するための手段】
【０００６】
上記課題を解決するため、本発明に係る樹脂サッシは、方形状の枠体内に障子を納めてなる樹脂サッシにおいて、
前記障子はそれぞれ合成樹脂からなる室内上框と室内下框及び左右の室内縦框を方形状に框組みした室内樹脂框体と、それぞれ合成樹脂からなる室外上框と室外下框及び左右の室外縦框を方形状に框組みした室外樹脂框体と、該室外樹脂框体と前記室内樹脂框体との間に配置され両樹脂框体を連結する金属製の連結框体とからなることを特徴として構成されている。
【０００７】
また、本発明に係る樹脂サッシは、前記連結框体は上連結框と下連結框及び左右の縦連結框をビス止めにより方形状に框組みしてなることを特徴として構成されている。
【０００８】
さらに、本発明に係る樹脂サッシは、前記室内樹脂框体と室外樹脂框体を構成する各框材は内周面側端部に前記パネル体を挟持する押縁部が一体的に形成されてなることを特徴として構成されている。
【０００９】
さらにまた、本発明に係る樹脂サッシは、前記室内樹脂框体と室外樹脂框体は前記パネル体の挿入方向において複数箇所で前記連結框体と嵌合固定されることを特徴として構成されている。
【００１０】
そして、本発明に係る樹脂サッシは、前記室内樹脂框体と室外樹脂框体はそれぞれ４５度の角度で傾斜状に切断されてなる各框材の端部を突き合わせ溶着してなることを特徴として構成されている。
【００１１】
また、本発明に係る樹脂サッシは、前記室内樹脂框体と室外樹脂框体はいずれもそれらを構成する上下框及び左右の縦框の形状が略同一断面を有してなることを特徴として構成されている。
【００１２】
さらに、本発明に係る樹脂サッシは、前記障子は内障子と外障子からなり、該内障子と外障子が前記枠体内に引き違い状に納められ、前記内障子の召合せ框の室内側には金属製の縦補強材が設けられ、該縦補強材は前記内障子の召合せ框を構成する室内縦框の室外面側からビス止めされると共に、室内側面を補強材カバーで覆ってなることを特徴として構成されている。
【発明の効果】
【００１３】
本発明に係る樹脂サッシによれば、障子はそれぞれ合成樹脂からなる室内上框と室内下框及び左右の室内縦框を方形状に框組みした室内樹脂框体と、それぞれ合成樹脂からなる室外上框と室外下框及び左右の室外縦框を方形状に框組みした室外樹脂框体と、室外樹脂框体と室内樹脂框体との間に配置され両樹脂框体を連結する金属製の連結框体とからなることにより、金属材からなる連結框体が室内樹脂框体と室外樹脂框体の間に存在し、框材の連結部分が金属材同士の連結構造を有することができるので、框材の連結部分における強度を向上させることができる。
【００１４】
また、本発明に係る樹脂サッシによれば、連結框体は上連結框と下連結框及び左右の縦連結框をビス止めにより方形状に框組みしてなることにより、連結框体の框材をビス止めにより強固に連結することができ、框材の連結部分における強度をより向上させることができる。
【００１５】
さらに、本発明に係る樹脂サッシによれば、室内樹脂框体と室外樹脂框体を構成する各框材は内周面側端部にパネル体を挟持する押縁部が一体的に形成されてなることにより、パネル体を保持する押縁部材を設ける必要がなく、熱や経年劣化に伴う押縁部材の伸縮を生じることがないので、意匠性における耐久性の高いものとすることができる。
【００１６】
さらにまた、本発明に係る樹脂サッシによれば、室内樹脂框体と室外樹脂框体はパネル体の挿入方向において複数箇所で連結框体と嵌合固定されることにより、連結框体により室内樹脂框体と室外樹脂框体を安定的かつ強固に連結することができる。
【００１７】
そして、本発明に係る樹脂サッシによれば、室内樹脂框体と室外樹脂框体はそれぞれ４５度の角度で傾斜状に切断されてなる各框材の端部を突き合わせ溶着してなることにより、室内樹脂框体と室外樹脂框体でそれぞれ確実な溶着をなすことができる。
【００１８】
また、本発明に係る樹脂サッシによれば、室内樹脂框体と室外樹脂框体はいずれもそれらを構成する上下框及び左右の縦框の形状が略同一断面を有してなることにより、框体が室内側樹脂框体と室外側樹脂框体に分割されていることと併せて、框材の形成を小型な金型で容易に行うことができる。
【００１９】
さらに、本発明に係る樹脂サッシによれば、内障子の召合せ框の室内側には金属製の縦補強材が設けられ、縦補強材は内障子の召合せ框を構成する室内縦框の室外面側からビス止めされることにより、従来のように框材または補強材の中空部を貫通してビス止めする場合と比べて強固な固定ができると共に、室外面側からビス止めすることで縦補強材の室内面にビスを隠すためのキャップ等を設ける必要がなく、継ぎ目がなく見栄えのよいものとすることができる。また、室内側面を補強材カバーで覆ってなることにより、框体と一体感を出すようにして意匠性をより向上させることができる。
【発明を実施するための最良の形態】
【００２０】
本発明の実施形態について、図面に沿って詳細に説明する。図１には本実施形態における樹脂サッシの縦断面図を、図２には本実施形態における樹脂サッシの横断面図を、それぞれ示している。これら各図に示すように、本実施形態における樹脂サッシは、上枠１０と下枠１１及び左右の縦枠１２、１２を方形状に枠組みしてなる枠体１内に、内障子２と外障子３を引き違い状に納めてなる引き違いサッシである。
【００２１】
枠体１を構成する上枠１０と下枠１１及び左右の縦枠１２は、断面中空状に形成されると共に、いずれも断面が略同形状となるように形成されている。枠体１の内周面には、室内側片１３と、内レール部１４と、外レール部１５及び室外側片１６が突出するように形成されており、上枠１０の内レール部１４と外レール部１５はそれぞれ内障子２と外障子３を案内し、下枠１１の内レール部１４と外レール部１５にはそれぞれレール部材１７が取付けられ、内障子２と外障子３の下部に設けられる戸車５８がレール部材１７に載置されて走行自在とされる。
【００２２】
次に、内障子２と外障子３の構成について説明する。内障子２と外障子３は、概ね同様の構成からなっているので、ここでは主に内障子２について説明する。図３には図２の縦断面図のうち、内障子２と外障子３の召合せ部分の拡大断面図を、図４には図２の縦断面図のうち、右の縦枠１２側の拡大断面図を、それぞれ示している。なお、図２の縦断面図のうち、左の縦枠１２側は、図４と概ね同様の構成からなっている。内障子２は、方形状に框組みされた框体４内にガラス板からなるパネル体５を納めてなるものである。また、框体４は、室内上框２０と室内下框２１及び左右の室内縦框２２、２２を方形状に框組みした室内樹脂框体６と、室外上框３０と室外下框３１及び左右の室外縦框３２、３２を方形状に框組みした室外樹脂框体７と、室内樹脂框体６と室外樹脂框体７との間に配置され両樹脂框体６、７を連結する金属製の連結框体８とから構成されている。内障子２と外障子３は引き違い状に配置されるので、縦方向の框材は、一方が枠体１側に配置される枠側縦框５０であり、他方は障子の召合せ部分に配置される召合せ框５１となる。
【００２３】
室内樹脂框体６は合成樹脂によって形成され、框体４の室内側部を構成している。室内樹脂框体６を構成する室内上框２０と室内下框２１及び室内縦框２２は、いずれも略同じ断面形状となるように形成されており、これらは両端部を４５度の傾斜状に切断されると共に、端部同士を突き合わされ溶着されることによって方形状に框組みされる。
【００２４】
室内樹脂框体６の見付方向外側端部には、係合溝２３が四周に渡って形成されており、室内上框２０と室内下框２１及び枠側縦框５０を構成する室内縦框２２の係合溝２３には、気密材５７が取付けられる。室内樹脂框体６に取付けられる気密材５７は、枠体１の内レール部１４の室内面に当接し、気密性及び水密性を確保する。
【００２５】
また、室内樹脂框体６の見付方向内側端部には、パネル体５を室内側から押圧する押縁部２４が四周に渡って一体的に形成される。押縁部２４は軟質樹脂によって形成され、パネル体５の室内面に圧接することで、パネル体５を強固に保持すると共に、気密性や水密性の確保も図ることができる。なお、室内樹脂框体６のそれ以外の部分は硬質樹脂によって形成されており、軟質樹脂からなる押縁部２４は共押出しによって室内樹脂框体６と一体的に形成される。
【００２６】
室外樹脂框体７も、合成樹脂によって形成され、框体４の室外側部を構成している。形状及び構成については室内樹脂框体６を室内外反転させたものであって、概ね同様である。すなわち、見付方向外側端部には、気密材５７を取付ける係合溝３３が四周に渡って形成されており、また見付方向内側端部には、軟質樹脂からなる押縁部３４が一体的に形成されている。係合溝３３に取付けられる気密材５７は、内レール部１４の室外面に当接して気密性や水密性を確保する。また、押縁部３４はパネル体５を室外面から押圧保持する。
【００２７】
連結框体８はアルミニウムの押出型材からなり、連結上框４０と連結下框４１及び左右の連結縦框４２、４２を方形状に框組みしてなるものである。図５には、障子上部の分解縦断面図を示している。この図に示すように、連結框体８は見付方向内側と外側にそれぞれ内側被嵌合部４３と外側被嵌合部４４を備えている。室内樹脂框体６の室外側部には、見付方向内側の内側嵌合部２５と、見付方向外側の外側嵌合部２６とが形成されており、これらが連結框体８の室内側部に形成される内側被嵌合部４３と外側被嵌合部４４に対し嵌合し固定される。また、室外樹脂框体７の室内側部には、見付方向内側の内側嵌合部３５と、見付方向外側の外側嵌合部３６とが形成されており、これらが連結框体８の室外側部に形成される内側被嵌合部４３と外側被嵌合部４４に対し嵌合し固定される。このように連結框体８は、パネル体５の挿入方向において複数箇所で室内樹脂框体６及び室外樹脂框体７と嵌合固定するようにしている。これによって框体４を安定的に連結しておくことができ、その連結強度を充分なものとすることができる。なお、図５には障子上部のみを示しているが、障子下部や側部についても同様の構造により連結框体８による室内樹脂框体６と室外樹脂框体７の連結をなしている。
【００２８】
図１と図４に示すように、連結上框４０と連結下框４１及び枠側縦框５０を構成する連結縦框４２は、断面形状を同形状として形成されている。一方、図３に示すように、召合せ框５１を構成する連結縦框４２は、他とは断面形状が異なり、さらに中空内部には金属材からなる断面コ字状の補強材５２が挿入されている。これによって、特に強度が求められる召合せ框５１における強度を充分に確保することができる。
【００２９】
また、図３に示すように召合せ框５１には外周面を覆うように外周面カバー体５４が設けられる。外周面カバー体５４は、召合せ框５１の室外面の略半分をも覆っている。また、外周面カバー体５４の室外面側の先端部には煙返し部５４ａが設けられ、外障子３の召合せ框５１にも設けられる煙返し部５４ａと対向する。また、外周面カバー体５４の室外面には軟質樹脂からなる気密部５４ｂが一体的に形成されており、これが外障子３の室内面に当接することで気密性の確保を図っている。
【００３０】
さらに、内障子２を構成する召合せ框５１の外周面にはクレセント５５が設けられ、一方で外障子３を構成する召合せ框５１の室内面にはクレセント受け部材５６が設けられる。クレセント５５を操作し、クレセント受け部材５６に係合させることによって、内障子２と外障子３とを施錠状態とすることができる。
【００３１】
次に、框体４の組立構造について説明する。図６には、内障子２の分解斜視図を示している。この図に示すように、内障子２はパネル体５が室内側と室外側からそれぞれ室内樹脂框体６と室外樹脂框体７に挟持され、パネル体５の外周面側には連結框体８が配置されて室内樹脂框体６と室外樹脂框体７を連結するようにしている。
【００３２】
室内樹脂框体６を構成する室内上框２０と室内下框２１及び室内縦框２２は、いずれも端面が４５度の角度で傾斜状となるように切断され、各端面が付き合わされることで方形状をなすように構成されている。また、付き合わされた各端面は溶着によって一体化されている。
【００３３】
室外樹脂框体７も同様に、室外上框３０と室外下框３１及び室外縦框３２の端面は４５度の角度で傾斜状となるように切断され、各端面が付き合わされ溶着されることで方形状の框体を構成するようにしている。
【００３４】
連結框体８を構成する連結上框４０は、両端面をそれぞれ連結縦框４２の内周面上端部に当接させ、連結縦框４２の外周面側からビス止めによって固定する。また、連結下框４１も、両端面をそれぞれ連結縦框４２の内周面下端部に当接させ、連結縦框４２の外周面側からビス止めによって固定する。このように金属材からなる各連結框材をビス止めによって連結し、連結框体８を構成する。
【００３５】
樹脂材からなる室内樹脂框体６と室外樹脂框体７とを金属材からなる連結框体８によって連結し框体４を構成するようにしたので、樹脂材の中空内部に補強材を挿入する従来の框体と同様の強度を確保しつつ、框材の連結部分において金属材同士の連結をなすことができ、したがって樹脂材同士の溶着のみの場合に比べて連結部分における強度を向上させることができる。また、樹脂材を室内側部と室外側部で別体となるように構成しているため、各部材の断面積を小さくすることができ、内部に大きな中空部を有する従来の框材同士の溶着に比べて、溶着をより確実にすることもできる。さらには、各樹脂材の断面積が小さいことにより、框材を成型する押出金型も小さくて済むため、製造コストを抑えることができる。また、室内外で框体が分割されていることにより、室内樹脂框体６を構成する各框材にのみ、二層押出により室内露出面に異なる色や模様を施すこともできる。
【００３６】
また、大型のサッシにおいては召合せ框５１の強度がより必要とされる場合もある。このような場合における召合せ框５１の構成について説明する。図７には、この場合における召合せ框５１付近の拡大横断面図を示している。この図に示すように、内障子２の召合せ框５１の室内面には、断面略方形状の縦補強材５３が取付けられる。
【００３７】
縦補強材５３はアルミニウムの押出型材により構成され、召合せ框５１の上下方向に沿って設けられる。召合せ框５１の室内面には、略平面状のアタッチ材５３ａが係合され、このアタッチ材５３ａと縦補強材５３とがネジにより固定される。ここで、召合せ框５１は、室内縦框２２と室外縦框３２及び連結縦框４２の三部材に分割されていることにより、これらを組み合わせる前の段階で室内縦框２２の室外側からアタッチ材５３ａと縦補強材５３とのネジ止めを行うことができる。したがって、アタッチ材５３ａと縦補強材５３は室内縦框２２の室外面側からネジ止め固定されている。
【００３８】
框体が分割されていない従来のサッシにおける縦補強材は、ネジを室内面から中空部を貫通させて召合せ框に固定するか、あるいはネジを召合せ框の室外面から中空部を貫通させて固定するしかなく、いずれにしてもネジに中空部分を貫通させなければならなかったために、連結強度の面で問題があった。しかし本願発明では框体４を室内外で分割しているため、室内樹脂框体６を構成する室内縦框２２の室外側から縦補強材５３をネジ止めすれば、ネジに中空部分を貫通させる必要がないために、充分な連結強度を確保することができる。
【００３９】
また、縦補強材５３の室内露出面には、それを覆う合成樹脂製の補強材カバー５３ｂが設けられる。この補強材カバー５３ｂにより縦補強材５３の内観を框体４と統一することができ、框体４との一体感を奏してサッシの意匠性を向上させることができる。
【００４０】
以上、本発明の実施形態について説明したが、本発明の適用は本実施形態には限られず、その技術的思想の範囲内において様々に適用されうるものである。例えば、本実施形態では本発明を引き違いサッシに適用したものを示したが、枠体内に障子が納められる構成であればよく、したがって開き窓や辷り出し窓等にも本発明を適用することができる。
【図面の簡単な説明】
【００４１】
【図１】本実施形態における樹脂サッシの縦断面図である。
【図２】本実施形態における樹脂サッシの横断面図である。
【図３】図２の樹脂サッシの召合せ部分付近の拡大図である。
【図４】図２の樹脂サッシの右側縦枠付近の拡大図である。
【図５】障子上部の分解縦断面図である。
【図６】障子の分解斜視図である。
【図７】縦補強材を設ける場合の召合せ框付近拡大横断面図である。
【符号の説明】
【００４２】
１    枠体
２    内障子
３    外障子
４    框体
５    パネル体
６    室内樹脂框体
７    室外樹脂框体
８    連結框体
１０    上枠
１１    下枠
１２    縦枠
２０    室内上框
２１    室内下框
２２    室内縦框
２４    押縁部
２５    内側嵌合部
２６    外側嵌合部
３０    室外上框
３１    室外下框
３２    室外縦框
３４    押縁部
３５    内側嵌合部
３６    外側嵌合部
４０    連結上框
４１    連結下框
４２    連結縦框
４３    内側被嵌合部
４４    外側被嵌合部
５０    枠側縦框
５１    召合せ框
５２    補強材
５３    縦補強材
５３ｂ  補強材カバー
【図１】
2007291718.tif 000003
【図２】
2007291718.tif 000004
【図３】
2007291718.tif 000005
【図４】
2007291718.tif 000006
【図５】
2007291718.tif 000007
【図６】
2007291718.tif 000008
【図７】
2007291718.tif 000009